(57)【要約】【課題】再撮防止用の妨害画像としての非可視光を含む映像から該非可視光を除去して再撮しようとする者を容易に検出する技術を提供する。【解決手段】映像を表示する映像表示部２０３と、映像とともに赤外線を観察者に対して照射する赤外線発光部２０４と、前記観察者が有する撮影装置１３０ａから反射された赤外線ｃを検知する赤外線検知部２０５とを備えた映像表示スクリーンである。赤外線発光部２０４と赤外線検知部２０５とは、映像表示部２０３の裏面に設けられている。赤外線検知部２０５と映像表示部２０３の裏面との隙間を覆うように、遮光性の検知部カバー部材２０５ｅが設けられている。【選択図】図２
2012163844.tif 000002
【特許請求の範囲】
【請求項１】
映像を表示する映像表示部と、
映像とともに赤外線を観察者に対して照射する赤外線発光部と、
前記観察者が有する撮影装置から反射された赤外線を検知する赤外線検知部とを備え、
前記赤外線発光部と前記赤外線検知部とは、前記映像表示部の裏面に設けられており、
前記赤外線検知部と前記映像表示部の裏面との隙間を覆う、遮光性の検知部カバー部材をさらに備えた、映像表示スクリーン。
【請求項２】
前記検知部カバー部材と前記映像表示部との間に、前記映像表示部のひずみを防止するひずみ防止部材をさらに備えた、請求項１に記載の映像表示スクリーン。
【請求項３】
前記ひずみ防止部材が透光性の樹脂板である、請求項２に記載の映像表示スクリーン。
【請求項４】
前記ひずみ防止部材が可撓性材料である、請求項２に記載の映像表示スクリーン。
【請求項５】
前記赤外線発光部と前記映像表示部の裏面との隙間を覆う、遮光性の発光部カバー部材をさらに備えた、請求項１に記載の映像表示スクリーン。
【請求項６】
前記発光部カバー部材と前記映像表示部との間に、前記映像表示部のひずみを防止するひずみ防止部材をさらに備えた、請求項５に記載の映像表示スクリーン。
【請求項７】
前記ひずみ防止部材が透光性の樹脂板である、請求項６に記載の映像表示スクリーン。
【請求項８】
前記ひずみ防止部材が可撓性材料である、請求項６に記載の映像表示スクリーン。
【請求項９】
請求項１から８の何れか１項に記載の映像表示スクリーンと、
デジタル映像信号に基づいて表示画像を生成し、該表示画像を前記映像表示スクリーンの映像表示部に投射する画像形成部とを有する、映像表示システム。
【発明の詳細な説明】
【技術分野】
【０００１】
本発明は、スクリーンや画像表示パネルに表示された映画などの画像コンテンツをビデオカメラなどの画像記録装置で再撮影する行為を防ぐための技術に関する。
【背景技術】
【０００２】
近年、デジタル画像表示装置やデジタルカメラ等の撮影装置の普及および高画質化が進み、低コストで高画質のコンテンツを視聴することが可能となっている。しかし一方で、スクリーンやディスプレイに表示された画像、動画像などのコンテンツをデジタルビデオカメラ等の撮影装置で撮影し、撮影したコンテンツを違法に流通させる行為（再撮影行為）が問題視されている。このように不正に撮影された海賊版ＤＶＤの流通は、著作権の保護に反するとともに、経済的な損失も非常に大きいため、対策が急がれている。
【０００３】
この問題の対策として、電子透かし（watermark）により、表示前の画像コンテンツ（オリジナルの画像コンテンツ）に施設ＩＤ（上映されている施設の情報）や機器ＩＤ（上映している機器の情報）などを埋め込み、再撮され流通された後の画像コンテンツ（再撮された画像コンテンツ）から当該ＩＤを検出することで、再撮が行われた施設や機器を特定する方法が提案されている。
【０００４】
また、上記の方法とは異なる手段で再撮行為を防止する試みとして、映像表示とともに赤外線をスクリーンから観客席に対して照射するという方法が提案されている（例えば、特許文献１，２参照）。この方法は、赤外線は、人間の眼には認識されないが、ＣＣＤ、ＣＭＯＳイメージセンサなどを備えたコンテンツ記録装置（具体的には、例えば、ビデオカメラ）では可視光と同様に検出されるという、人間の視覚特性とカメラの撮像特性のとの違いを利用したものである。この技術によれば、映像を見ている観察者には、映像表示のみが視認される一方、盗撮用のカメラには、赤外線が映像を妨害する画像として記録されることになる。図４Ａには、映像表示とともに赤外線をスクリーンから観客席に対して照射した場合に、その映像をカメラで撮影したときに得られる画像の一例を示す。この図に示すように、カメラで撮影した画像には、赤外線が白い妨害画像Ａとして含まれることになる。
【０００５】
このように、上記の方法によれば、再撮された映像を劣化させ、再撮画像の利用価値をなくすことができるため、映画館などでの盗撮を防止する手段として効果的な方法であると考えられる。
【先行技術文献】
【特許文献】
【０００６】
【特許文献１】特開２００８−１７６１９５号公報
【特許文献２】特開２００２−３４１４４９号公報
【発明の概要】
【発明が解決しようとする課題】
【０００７】
しかしながら、上記の赤外線を使用した再撮行為の妨害方法では、例えば、赤外線除去フィルタなどのように赤外波長の光を透過させないフィルタをカメラの全面に配置することで、映像を妨害する効果が著しく低下してしまうという問題がある。上記のようなフィルタを使用したカメラで赤外線を含む表示映像を撮影した場合、得られる映像には赤外線に起因した映像がほとんど含まれず、再撮画像の利用価値をなくすことができない。図４Ｂには、赤外線が妨害画像として含まれる映像を、赤外線除去フィルタが取り付けられたカメラで撮影した場合に得られる画像の一例を示す。この図に示すように、赤外線除去フィルタの作用によって、赤外線による妨害画像が取り除かれ、撮影された画像がコンテンツとしての価値を保ち続けることになる。
【０００８】
本発明は、上記の問題点に鑑みてなされたものであり、非可視光を含む映像から該非可視光を除去して再撮しようとする者を確実に検出する技術を提供することを目的とする。
【課題を解決するための手段】
【０００９】
上記の目的を達成するために、以下に開示する映像表示スクリーンは、映像を表示する映像表示部と、映像とともに赤外線を観察者に対して照射する赤外線発光部と、前記観察者が有する撮影装置から反射された赤外線を検知する赤外線検知部とを備え、前記赤外線発光部と前記赤外線検知部とは、前記映像表示部の裏面に設けられており、前記赤外線検知部と前記映像表示部の裏面との隙間を覆う、遮光性の検知部カバー部材をさらに備えた構成である。
【００１０】
赤外線は、人間の眼には認識されないが、ＣＣＤ、ＣＭＯＳイメージセンサなどを備えた撮影装置（具体的には、例えば、ビデオカメラ）では可視光と同様に検出される。
【００１１】
したがって、上記の構成によれば、映像表示部に映像が表示されている期間中に、人間の眼には認識されないが、ビデオカメラなどの撮影装置には可視画像として記録される赤外線を、映像とともに観察者に対して照射することができる。これにより、観察者が盗撮用のビデオカメラを所持していた場合には、撮影された画像コンテンツ中には、赤外線がオリジナルの映像を妨害する画像（再撮防止信号）として付加されることになり、再撮された画像の表示品質を劣化させることができる。なお、赤外線は人間の目には見えないので、観察者には、オリジナルの映像のみが映像表示部に表示されているように見える。
【００１２】
さらに、観察者が映像表示スクリーンから照射される赤外線を除去しながら再撮を試みた場合には、観察者の撮影装置から反射される赤外線を、赤外線検知部によって検知することができる。
【００１３】
さらに、上記の構成においては、赤外線検知部と前記映像表示部の裏面との隙間を覆うように、遮光性の検知部カバー部材が設けられている。これにより、赤外線発光部から出射された赤外線のうち、回折によって迷光となった成分が、赤外線検知部へ侵入することを防止することができる。この結果、観察者の撮影装置から反射される赤外線を、赤外線検知部においてより正確に検知することが可能となる。
【発明の効果】
【００１４】
上記の構成によれば、映像の表示品質を落とすことなく、観察者が有する撮影装置によって再撮された映像の表示品質を劣化させることができる。さらに、観察者が映像表示スクリーンから照射される赤外線を除去しながら再撮を試みた場合には、観察者の撮影装置から反射される赤外線を容易にかつ正確に検知することができる。したがって、再撮行為を抑制するという効果が得られる。
【図面の簡単な説明】
【００１５】
【図１】本発明の一実施の形態にかかる盗撮防止用映像表示システムの概略構成を示す模式図である。
【図２】図３に示すシステムにおいて、盗撮用のカメラに妨害画像を加える方法、および、盗撮用のカメラを検知する方法を説明するための模式図である。
【図３】本発明の一実施の形態にかかる盗撮防止用映像表示システムの機能構成を示すブロック図である。
【図４Ａ】映像表示とともに赤外線をスクリーンから観客席に対して照射した場合に、その映像をカメラで撮影したときに得られる画像の一例を示す模式図である。
【図４Ｂ】赤外線が妨害画像として含まれる映像を、赤外線除去フィルタが取り付けられたカメラで撮影した場合に得られる画像の一例を示す模式図である。
【図５】赤外線カメラの構成の一例を示す一部切り欠き側面図である。
【図６】赤外線カメラの構成の一例を示す断面図である。
【図７】赤外線カメラの構成の一例を示す断面図である。
【図８Ａ】図７に示した赤外線カメラの構成において、赤外線漏れが発生する様子を模式的に示す断面図である。
【図８Ｂ】赤外線カメラの構成の一例を示す断面図である。
【図９】赤外線カメラの構成の一例を示す側面図である。
【図１０】本発明の一実施の形態にかかる盗撮防止用映像表示システム内の赤外線検知部に備えられた画像処理部の機能構成を示すブロック図である。
【図１１】赤外線発光ユニットの構成の一例を示す側面図である。
【発明を実施するための形態】
【００１６】
本発明の一実施形態にかかる映像表示スクリーンは、上記の課題を解決するために、映像を表示する映像表示部と、映像とともに赤外線を観察者に対して照射する赤外線発光部と、前記観察者が有する撮影装置から反射された赤外線を検知する赤外線検知部とを備え、前記赤外線発光部と前記赤外線検知部とは、前記映像表示部の裏面に設けられており、前記赤外線検知部と前記映像表示部の裏面との隙間を覆う、遮光性の検知部カバー部材をさらに備えている（第１の構成）。
【００１７】
このように、映像とともにその映像を妨害するための非可視光（赤外線）が観察者に対して照射されるような映像表示スクリーンを備えた劇場において盗撮を試みる場合には、盗撮者は、映像を妨害するための赤外線（再撮防止信号）を除去するために、赤外線反射フィルタまたは赤外線吸収フィルタなどをカメラの前面に設けることが想定される。赤外線反射フィルタまたは赤外線吸収フィルタは、赤外線を反射するので、赤外線検知部には、盗撮用の撮影装置からの反射光が比較的強い強度で検知される。したがって、赤外線検知部が設けられていることで、撮影装置の存在を容易に確認することができる。なお、この赤外線発光部の光源は、再撮防止信号を出射する光源とは別個に設けられた光源であっても良い。
【００１８】
このように、本実施形態の映像表示スクリーンによれば、映像表示部に表示される映像の表示品質を落とすことなく、観察者が有する撮影装置によって再撮された映像の表示品質を劣化させることができる。さらに、観察者が映像表示スクリーンから照射される非可視光（赤外線）を除去するフィルタ等を用いて再撮を試みた場合には、赤外線検知部によって、観察者の撮影装置から反射される赤外線を容易に検知することができる。したがって、再撮行為を防止する効果をより向上させることができる。
【００１９】
さらに、前記第１の構成においては、前記赤外線発光部と前記赤外線検知部とが、前記映像表示部の裏面に設けられると共に、前記赤外線検知部と前記映像表示部の裏面との隙間を覆う、遮光性の検知部カバー部材がさらに設けられている。
【００２０】
この検知部カバー部材が設けられたことにより、赤外線発光部から出射された赤外線のうち、回折によって迷光となった成分が、赤外線検知部へ侵入することを防止することができる。この結果、観察者の撮影装置から反射される赤外線を、赤外線検知部においてより正確に検知することが可能となる。
【００２１】
前記の第１の構成において、前記検知部カバー部材と前記映像表示部との間に、前記映像表示部のひずみを防止するひずみ防止部材をさらに備えることが好ましい（第２の構成）。ひずみ防止部材として、例えば、透光性の樹脂板を備えた構成（第３の構成）、または可撓性材料を用いた構成（第４の構成）が好ましい。
【００２２】
このように、ひずみ防止部材を備えたことにより、検知部カバー部材を映像表示部に押し付けた場合に、検知部カバー部材からの応力が遮断または吸収され、映像表示部の表示面がひずむことが防止される。これにより、映像表示部の表示に影響を与えることなく、検知部カバー部材と映像表示部とを隙間無く密着させることができる。
【００２３】
前記第１の構成において、前記赤外線発光部と前記映像表示部の裏面との隙間を覆う、遮光性の発光部カバー部材をさらに備えた構成も好ましい（第５の構成）。この構成によれば、本来であれば映像表示部の前面へ向けて出射されるべき赤外線が、赤外線発光部と映像表示部の裏面との隙間から漏れて迷光となることを防止できる。これにより、迷光の影響をより効果的に除去することができ、観察者の撮影装置から反射される赤外線を、赤外線検知部においてより正確に検知することが可能となる。
【００２４】
前記第５の構成において、前記発光部カバー部材と前記映像表示部との間に、前記映像表示部のひずみを防止するひずみ防止部材をさらに備えた構成が好ましい（第６の構成）。ひずみ防止部材として、例えば、透光性の樹脂板を備えた構成（第７の構成）、または可撓性材料を用いた構成（第８の構成）が好ましい。この第６〜第８の構成によれば、前記第２〜第４の構成と同様に、ひずみ防止部材を備えたことにより、発光部カバー部材を映像表示部に押し付けた場合に、発光部カバー部材からの応力が遮断または吸収され、映像表示部の表示面がひずむことが防止される。これにより、映像表示部の表示に影響を与えることなく、発光部カバー部材と映像表示部とを隙間無く密着させることができる。
【００２５】
本発明の他の実施形態にかかる映像表示システムは、前記第１〜第８の構成のいずれかにかかる映像表示スクリーンと、デジタル映像信号に基づいて表示画像を生成し、該表示画像を前記映像表示スクリーンの映像表示部に投射する画像形成部とを有する。
【００２６】
本実施形態の映像表示システムによれば、映像表示部に表示される映像の表示品質を落とすことなく、観察者が有する撮影装置によって再撮された映像の表示品質を劣化させることができる。さらに、観察者が映像表示スクリーンから照射される赤外光を除去する手段を用いて再撮を試みた場合には、赤外線検知部によって、観察者の撮影装置から反射される赤外線を容易に検知することができる。したがって、再撮行為を防止する効果をより向上させることができる。さらに、映像表示スクリーンに検知部カバー部材が設けられたことにより、赤外線発光部から出射された赤外線のうち、回折によって迷光となった成分が、赤外線検知部へ侵入することを防止することができる。この結果、観察者の撮影装置から反射される赤外線を、赤外線検知部においてより正確に検知することが可能となる。
【００２７】
以下、図面を参照しながら、本発明のより具体的な実施形態について説明する。
【００２８】
人間の視覚には赤外線や紫外線などの可視光以外の光は認知されないのに対して、再撮に用いられるデジタルカメラおよびデジタルビデオカメラなどの撮像素子であるＣＣＤおよびＣＭＯＳイメージセンサでは、素子そのものの不安定性から赤外線や紫外線などの可視光領域以外の波長もノイズとして検知される。したがって、映画館などのスクリーンにおいて映像を表示しているときに、画像表示面から人間による知覚が困難な波長の光を再撮防止信号として同時に照射することで、ビデオカメラなどによって再撮された画像コンテンツ中に上記再撮防止信号を知覚可能な信号として取り込むことが可能となる。これにより、ビデオカメラが取り込んだ画像コンテンツを再生した場合には、再撮防止信号に基づく画像がオリジナルの映像を妨害するノイズとして見えるため、再撮された画像コンテンツの品質を劣化させることができる。
【００２９】
しかしながら、赤外線遮断フィルタなどのバンドパスフィルタをビデオカメラのレンズの前面に配置すると、特定の波長の光（例えば、可視光）のみを選択的に透過し、それ以外の光（例えば、赤外線や紫外線などの可視光以外の光）については遮断することができる。このようなバンドパスフィルタは、市販されており容易に入手可能である。
【００３０】
そのため、ビデオカメラに赤外線遮断フィルタなどを取り付けた状態で、上記の再撮防止信号が含まれる映像表示を撮影した場合には、再撮防止信号がカメラから遮断され、再撮防止信号が含まれず品質の劣化が生じない映像が入手されてしまうことになるという問題が生じる。
【００３１】
なお、可視光のみを選択的に透過し、可視光以外の光を遮断する上記のようなフィルタは、金属などの反射率の高い素材よりも可視光以外の光を多く反射する作用がある。したがって、再撮防止信号が含まれる映像を表示することのできる劇場内において、可視光以外の光を検知するカメラなどを設けることにより、可視光を遮断するフィルタが取り付けられたビデオカメラを容易に検知することができる。
【００３２】
本発明のより具体的な実施形態について、図面を参照しながら以下に説明する。
【００３３】
［第１の実施形態］
本実施の形態では、デジタル画像コンテンツを基にして、映画館や劇場などにおいて映画などの映像を上映する映像表示システムについて説明する。本実施の形態の映像表示システムでは、劇場で上映されている映画などのデジタル画像コンテンツがデジタルビデオカメラなどによって撮影された場合に、撮影されたデジタル画像コンテンツの表示品質を視聴不可能な程度に劣化させることで、再撮後の画像コンテンツが不正に流通することを防ぐことができる。
【００３４】
さらに、本実施の形態の映像表示システムには、赤外線除去フィルタなどを取り付けたデジタルビデオカメラから反射された赤外線を検知するための赤外線カメラが備えられており、赤外線による画像品質の劣化を回避しながら盗撮を行おうとするカメラの存在を検知することもできる。なお、ここでいう赤外線カメラとは、少なくとも赤外領域の光を検知することが可能なカメラを意味する。すなわち、赤外線カメラには、赤外領域の光のみを検知することができるもの以外に、赤外領域＋可視領域の光を検知して画像データを形成することができるカメラ等も含まれる。
【００３５】
つまり、本実施の形態の映像表示システムは、盗撮を防止し、かつ、盗撮者を検知するための機能を有している盗撮防止用の映像表示システム（盗撮検知システム）である。
【００３６】
［映像表示システムの概略構成について］
図１に、本実施の形態にかかる映像表示システム１の概略構成を示す。映像表示システム１（映像表示装置）は、映像再生機２０１、プロジェクタ２０２（画像形成部）、スクリーン２０３（映像表示部）、赤外線発光ユニット２０４、および赤外線カメラ（赤外線検知部）２０５で構成されている。なお、本実施形態では、スクリーン２０３、赤外線発光ユニット２０４、および赤外線カメラ２０５が、映像表示スクリーンを構成する。
【００３７】
映像再生機２０１は、外部から取り込んだ画像コンテンツを一旦格納した後、画像形成を可能にするためのデコード処理を行い、処理後のデジタル映像信号をプロジェクタ２０２へ送信する。映像再生機２０１の構成については、従来公知のデジタル映像再生装置の構成を適用することができる。なお、本実施形態のような映像表示システム１では、映像再生機２０１によって再生される画像コンテンツは、複数の画像フレームで構成されている画像コンテンツ（動画コンテンツ）が一般的であるが、本発明では必ずしもこれに限定はされない。つまり、画像コンテンツは、静止画像のコンテンツであってもよい。
【００３８】
プロジェクタ２０２は、映像再生機２０１から送信されたデジタル映像信号に基づいて、内蔵された表示素子において表示画像を形成し、さらに形成された画像を、内蔵された投射光学系を用いてスクリーン２０３に投射させる。プロジェクタ２０２の構成については、従来公知の前面投射型の画像表示装置の構成を適用することができる。
【００３９】
スクリーン２０３は、プロジェクタ２０２から投射された画像を表示する。
【００４０】
赤外線発光ユニット２０４は、スクリーン２０３の背面側に配置されており、スクリーン２０３に映像が表示されている期間中、赤外光を前面側に発光する。ここで、スクリーン２０３の背面側とは、画像が表示される面（観察者または観客席と対向している面）とは反対側のことであり、スクリーン２０３の前面側とは、画像が表示される側（観察者がいる側）のことである。
【００４１】
赤外線カメラ２０５は、例えば、波長７８０ｎｍ以上の赤外領域の光を主に検知して画像を形成する。赤外線カメラ２０５は、上記の赤外線発光ユニット２０４から照射された赤外線のうち、盗撮用のビデオカメラに取り付けられた赤外線除去フィルタなどによって反射された赤外線を検知するために、スクリーン２０３の裏面に設けられている。なお、図２に示すように、赤外線カメラ２０５のレンズフードには、遮光性のフードカバー２０５ｅが取り付けられている。赤外線カメラ２０５は、フードカバー２０５ｅの先端とスクリーン２０３の背面との間に隙間が生じないように、スクリーン２０３の背面に配置されている。
【００４２】
なお、赤外線カメラ２０５は、赤外領域の光のみを検知することができるものに限定されず、ビデオカメラのナイトショット機能のように赤外領域＋可視領域の光を検知して画像データを形成することができるものであってもよい。すなわち、ここでいう赤外線カメラ２０５とは、少なくとも赤外領域の光を検知することが可能なカメラを意味する。
【００４３】
ここで、スクリーン２０３および赤外線発光ユニット２０４の具体的な構成について、以下に説明する。
【００４４】
スクリーン２０３は、プロジェクタ２０２からの画像が投影される画像表示面２０３ａを有する。画像表示面２０３ａは、音響用の多数の小さな穴（１ｍｍ程度の穴）を有する幕の表面に白い塗料が塗布されることにより、形成されている。
【００４５】
また、赤外線発光ユニット２０４は、上記のようにスクリーン２０３の背面側に配置されている。本実施形態では、赤外線発光ユニット２０４は、スクリーン２０３の画像表示領域２０３ａのほぼ中央部に対応する位置に配置されている。ただし、赤外線発光ユニット２０４の位置は、この例にのみ限定されない。図１に示す例では、赤外線発光ユニット２０４には、縦３個×横３個の計９個の赤外光発光領域２１４が存在する。赤外線発光領域２１４の数も、この例にのみ限定されない。各赤外光発光領域２１４には、赤外ＬＥＤが設けられている。赤外ＬＥＤとしては、例えば、波長７８０ｎｍ付近の波長帯の光を発するもの（これを７８０ｎｍのＬＥＤとする）、波長８５０ｎｍ付近の波長帯の光を発するもの（これを８５０ｎｍのＬＥＤとする）などが挙げられる。また、赤外線発光ユニット２０４から照射される赤外線は平行光であることが好ましい。これにより、赤外線の強度を強くすることができる。
【００４６】
上記の構成により、図２に示すように、赤外線発光ユニット２０４から発せられた赤外光は、スクリーン２０３に設けられた穴を通過して、観察者（観客席）に向かって照射される。
【００４７】
なお、赤外ＬＥＤから照射される光には、赤外領域に近い可視光領域の光が含まれることがある。そのため、赤外線発光ユニット２０４の光照射面に、可視光カットフィルタを配置してもよい。ここで使用する可視光カットフィルタは、従来公知のものでよい。特に、７８０ｎｍのＬＥＤは、より可視光領域に近い波長帯の光を発するため、可視光カットフィルタとともに利用することが望ましい。これにより、ビデオカメラなどのコンテンツ記録装置では検知されるが、観客席にいる人の目には視認されない赤外線発光ユニットを実現することができる。
【００４８】
［映像表示システム１内の各機能について］
続いて、映像表示システム１において、映像を表示するための構成、再撮された画像の品質を劣化させるための構成、および、盗撮用のカメラを検知するための構成についてそれぞれ説明する。図３は、映像表示システム１内の各装置の構成を示す機能ブロック図である。
【００４９】
図３に示すように、映像表示システム１内には、スクリーン２０３に映像を表示するためのコンテンツ表示部１１０と、再撮された画像の表示品質を劣化させるための再撮防止信号出力部１２０と、盗撮用のカメラを検知するための赤外線検知部１４０とが含まれている。
【００５０】
コンテンツ表示部１１０には、コンテンツ格納部１１１、デコーダ１１２、および、コンテンツ出力部１１３が含まれている。
【００５１】
コンテンツ格納部１１１は、外部から取り込んだ映画などの画像コンテンツを一時的に格納するためのものである。この場合、コンテンツ格納部１１１は、ハードディスクドライブや大容量メモリなどで実現される。ただし、本発明では、コンテンツ格納部は上記のようなものに限定はされず、キャッシュや高速メモリなどといった、画像コンテンツの再生および表示中のバッファとして機能するものであってもよい。デコーダ１１２は、コンテンツ格納部１１１に格納された画像コンテンツを、プロジェクタ２０２の表示規格に適合するフォーマットにデコード処理する。コンテンツ出力部１１３は、デコード処理された画像コンテンツ（デジタル映像信号）から表示画像を形成し、スクリーン２０３の画像表示面（画像表示領域）２０３ａに表示する。
【００５２】
本実施の形態においては、コンテンツ表示部１１０内の各ブロックのうち、コンテンツ格納部１１１およびデコーダ１１２は、映像再生機２０１内にある。また、コンテンツ出力部１１３は、プロジェクタ２０２およびスクリーン２０３として実現される。
【００５３】
上記したコンテンツ表示部１１０については、公知の映像表示システムと同様の構成を適用することができる。
【００５４】
再撮防止信号出力部１２０には、コンテンツ解析部１２１、信号制御部１２２、信号出力パターン格納部１２３、および、信号発生部１２４が含まれている。
【００５５】
コンテンツ解析部１２１は、コンテンツ表示部１１０から取り出した画像コンテンツ（デジタル映像信号）の空間的特徴量および時間的特徴量を解析する。すなわち、複数の画像フレームで構成されている画像コンテンツについて、フレームごとに各画素の明るさ（階調値）を解析する。これにより、一連の映像において、どの時点（どのフレーム）でどの領域がどの程度の明るさであるかという空間的特徴量および時間的特徴量に関する画像情報が得られる。なお、コンテンツ解析部１２１に送信されるデジタル映像信号は、デコーダ１１２において処理された映像信号である。
【００５６】
信号制御部１２２では、コンテンツ解析部１２１で得られた画像情報に基づいて、ある特定の画像フレームが表示されている時点での、赤外線発光ユニット２０４における発光強度を制御する。このとき、発光強度の制御は、信号出力パターン格納部１２３に格納されている情報を参照しながら行われる。
【００５７】
なお、信号出力パターン格納部１２３には、信号発生部１２４が出力する赤外光（再撮防止信号）の強度や信号発生のＯＮ／ＯＦＦパターンなどが格納されている。具体的には、画像フレームにおける各画素の平均階調値と、そのときの赤外線発光ユニット２０４の発光強度（赤外ＬＥＤの電流値）とが対応付けて格納されている。これにより、信号制御部１２２では、信号出力パターン格納部１２３に格納されている信号発生パターンを参照しながら、信号発生部１２４における赤外ＬＥＤの発光状態を制御することができる。
【００５８】
信号発生部１２４は、信号制御部１２２からの指示に応じて再撮防止信号である赤外光の出力のＯＮ／ＯＦＦを行うとともに、その強度を変化させる。
【００５９】
本実施の形態においては、再撮防止信号出力部１２０内の各ブロックのうち、コンテンツ解析部１２１、信号制御部１２２、および、信号出力パターン格納部１２３は、映像再生機２０１内にある。また、信号発生部１２４は、赤外線発光ユニット２０４に相当する。
【００６０】
上記のように、コンテンツ解析部１２１、信号制御部１２２、および、信号出力パターン格納部１２３が設けられていることにより、画像コンテンツの性質に合わせて、赤外線発光ユニット２０４における赤外線の発光強度や発光パターンを制御することができる。また、赤外線発光ユニット２０４の各発光領域２１４からそれぞれ異なる発光強度の赤外線が照射されるように制御することもできる。
【００６１】
ただし、本発明では、画像コンテンツの性質に合わせた発光強度および発光パターン（点灯と消灯の周期）の変更は必ずしも必要ではなく、予め決められた発光強度および発光パターンで赤外線発光ユニット２０４における発光の制御を行ってもよい。これにより、再撮防止信号出力部１２０における処理量を軽減させることができる。このように、発光の制御を予め決められたパターンで行う場合には、赤外線発光ユニット２０４に発光制御部を取り付け、スクリーン２０３に映像が表示されている期間中、画像コンテンツの内容とは無関係に一定の発光強度および発光パターンで赤外線を出力させればよい。
【００６２】
本実施の形態の映像表示システム１は、上記のような構成を有していることによって、スクリーン２０３の画像表示面から観察者に向かって映像とともに赤外光を照射することができる（図２参照）。人間の目は赤外光を認識しないため、赤外光を含む映像がスクリーンに映し出されても、通常の映像と何ら変わることのない映像が表示されているように認識される。これに対して、再撮に使用されるビデオカメラ１３０（１３０ａ・１３０ｂ）は、赤外光も検知するＣＣＤまたはＣＭＯＳイメージセンサを受光素子として有している。そのため、赤外光を含む映像を撮影すると、スクリーンから照射された赤外光も人間が視認可能な画像として取り込まれる。
【００６３】
なお、本実施の形態の映像表示システム１では、赤外線発光部として、赤外ＬＥＤを光源とする発光ユニットを用いているが、本発明はこの構成に限定されない。赤外光を発する光源として、ＬＥＤ以外の赤外光源を使用してもよい。また、再撮防止信号を出射する発光ユニットと、盗撮用カメラからの反射光を検出するための赤外光を出射する発光ユニットとを別個に設けても良い。
【００６４】
図２には、映像表示システム１において、盗撮用のカメラに妨害画像を加える方法、および、盗撮用のカメラを検知する方法を模式的に示す。なお、図１に示す映像表示システム１では、赤外線発光ユニット２０４はスクリーン２０３の中央部に１つ設けられていたが、ここでは、２つの赤外線発光ユニットが、スクリーンの上部と下部にそれぞれ設けられている構成を示す。赤外線発光ユニット２０４の配置や個数について特に限定はなく、場合に応じて適宜変更することができる。
【００６５】
また、図２では、スクリーン２０３に表示された映像を再撮しようとする者（観察者または再撮行為者とも呼ぶ）が用いる盗撮用のカメラ（撮影装置）１３０（１３０ａ・１３０ｂ）を示す。図２に示す２台の盗撮用のカメラ１３０ａ・１３０ｂのうち、カメラ１３０ａは、赤外線除去フィルタ１３１が取り付けられたビデオカメラであり、カメラ１３０ｂは、赤外線除去フィルタが取り付けられていない通常のビデオカメラである。
【００６６】
まず、盗撮用のカメラに妨害映像を加える方法について説明する。
【００６７】
映像表示システム１では、スクリーン２０３に表示画像ａが映し出されている期間中、同時に、赤外線発光ユニット２０４から赤外線ｂが再撮防止信号として発せられる。赤外線発光ユニット２０４から発せられた赤外線ｂは、スクリーン２０３に設けられた穴を通過して、観察者（観客席）に向かって照射される。
【００６８】
そして、カメラ１３０ｂを使用して画像コンテンツの再撮を行った場合には、カメラの受光部（レンズ）に、表示画像ａおよび赤外線ｂが入射する。カメラ１３０ｂの受光素子は、可視光および赤外光に受光感度を有するため、図４Ａに示すように、記録された画像コンテンツ内には、赤外線に起因した画像が妨害画像Ａとして含まれる。これにより、映像表示システム１では、再撮された画像の表示品質を劣化させ、利用価値を低下させることができるため、映像コンテンツの不正流通を目的とするビデオカメラの撮影を防止することができる。
【００６９】
一方、赤外線除去フィルタ１３１が取り付けられたカメラ１３０ａを使用して画像コンテンツの再撮を行った場合には、表示画像ａについては赤外線除去フィルタ１３１を通過して受光部に入射するが、赤外線ｂについては赤外線除去フィルタ１３１によって反射されるため受光部にはほとんど入射しない。そのため、図４Ｂに示すように、記録された画像コンテンツ内には妨害画像がほとんど含まれず、不十分ながら視認可能な画像となる。
【００７０】
このように、再撮行為者が、ビデオカメラに赤外線除去フィルタなどを取り付け、赤外領域の光を遮断して撮影を行った場合には、赤外線発光ユニット２０４から発せられる再撮防止信号の効果が低減してしまう。そこで、このように赤外線除去フィルタなどを取り付けたビデオカメラの存在を検知するために、本実施の形態の映像表示システム１には、このようなフィルタからの反射光を検知する赤外線カメラ２０５（赤外線検知部１４０）が設けられている。
【００７１】
［赤外線検知部について］
以下に、赤外線検知部１４０の構成について説明する。
【００７２】
赤外線検知部１４０には、図３に示すように、広角レンズ１４１、赤外線受光部１４２、および、画像処理部１４３などが含まれている。
【００７３】
広角レンズ１４１は、赤外線受光部１４２が広範囲からの反射光を受光できるようにするためのものである。通常、広角レンズ１４１は、画角が６３度以上である。この広角レンズ１４１が設けられていることにより、劇場内の全ての観客席からの反射光を受光することができる。
【００７４】
赤外線受光部１４２は、ＣＣＤまたはＣＭＯＳイメージセンサを受光素子として備えている。この受光素子は、可視領域だけではなく、紫外および赤外領域の波長の光に対しても受光感度を有する。そのため、受光素子の受光面には可視光カットフィルタなどの光学フィルタが設けられており、この光学フィルタによって紫外領域および可視領域の波長の光を除去した後、受光素子に取り込まれ、当該素子が取得したデータに基づいて画像を形成する。なお、前記のフィルタは特定の波長の光のみ通過させるフィルタであってもよく、また、特定の波長のみを除去するフィルタであってもよい。
【００７５】
画像処理部１４３は、盗撮用のビデオカメラをより確実に認識するために、赤外線受光部１４２によって取り込まれた画像に対して処理を施す。ここで行われる画像処理の詳細については、後述する。
【００７６】
本実施の形態においては、図２に示したように、赤外線検知部１４０は赤外線カメラ２０５で実現される。なお、画像処理部１４３については、赤外線カメラ２０５とは別体のＰＣなどの専用の画像処理装置で実現してもよい。
【００７７】
本実施の形態の映像表示システム１は、上記のような赤外線検知部１４０を有していることによって、図２に示すように、赤外線による妨害画像を除去するためにローパスフィルタなどの赤外線除去フィルタ１３１をカメラ１３０ａに取り付けた場合に、赤外線発光ユニット２０４から照射された赤外線ｂが赤外線除去フィルタ１３１によって反射されて得られる反射光（反射された赤外線ｃ）を検知することができる。
【００７８】
なお、赤外線検知部１４０において検知することが可能な赤外線除去フィルタ１３１としては、例えば、赤外線反射フィルタまたは赤外線吸収フィルタなどがある。これらのフィルタは、赤外線の反射率が高いため、盗撮用のカメラ１３０にこれらのフィルタが取り付けられていた場合に、赤外線検知部１４０によって容易にカメラ１３０の存在を検知することができる。
【００７９】
また、赤外線反射フィルタと赤外線吸収フィルタとを比較すると、赤外線反射フィルタのほうがより赤外線の反射率が高いが、赤外線吸収フィルタを使用した場合にも、ガラスなどと同程度の反射率が得られるため、赤外線検知部１４０によって検知することができる。
【００８０】
なお、ビデオカメラのレンズのような曲面レンズの赤外線の反射率は、一般的に、赤外線除去フィルタの反射率よりも低いが、曲面状のガラス（例えば、ガラスコップ）や曲面状の金属（例えば、ねじ回し（screwdriver）やメガネのフレーム等のような棒状の金属）の反射率よりは高い。そのため、赤外線除去フィルタが設けられていない通常のビデオカメラのレンズについても、赤外線検知部１４０における検知が可能である。
【００８１】
なお、赤外線検知部１４０としての赤外線カメラ２０５は、スクリーン２０３の裏側に設けられている。赤外線カメラ２０５の構造および設置の態様については、後に詳しく説明する。
【００８２】
なお、上記の説明においては、スクリーン２０３に設けられた音響用の穴を通して、観察者（観客席）に向かって赤外線が照射される構成を例示した。しかし、赤外線の照射は、必ずしも音響用の穴を利用しなくても良い。例えば、赤外線を通過させる穴を専用に設けても良いし、音響用以外の他の用途に設けられた穴を利用しても良い。
【００８３】
［赤外線カメラ２０５の構造および設置態様について］
ここで、赤外線検知部１４０としての赤外線カメラ２０５の設置の態様について、詳しく説明する。
【００８４】
赤外線カメラ２０５は、前述したように、スクリーン２０３の裏面に配置される。図５は、スクリーン２０３の裏面に配置された赤外線カメラ２０５の構造を示す、一部切り欠き側面図である。図５に示すように、赤外線カメラ２０５は、カメラ本体２０５ａと、電源ケーブル２０５ｂと、通信ケーブル２０５ｃと、レンズフード２０５ｄと、フードカバー２０５ｅとを備えている。赤外線カメラ２０５は、レンズフード２０５ｄの先端部が、スクリーン２０３の裏面に接触するように配置されている。スクリーン２０３に対する赤外線カメラ２０５の位置は、赤外線カメラ２０５を支える台座または三脚（いずれも図示せず）等によって固定されている。
【００８５】
フードカバー２０５ｅは、レンズフード２０５ｄの先端とスクリーン２０３との接触部を完全に覆うように設けられている。なお、図５においては、フードカバー２０５ｅ内のレンズフード２０５ｄの状況が見えるように、フードカバー２０５ｅの一部を切り欠いて図示しているが、実際には、フードカバー２０５ｅは、レンズフード２０５ｄの先端部の全体を覆うように形成されている。言い換えると、赤外線カメラ２０５は、フードカバー２０５ｅが、スクリーン２０３に対して隙間無く密着するように配置されている。
【００８６】
このように、レンズフード２０５ｄの先端とスクリーン２０３との接触部がフードカバー２０５ｅによって隙間無く覆われていることにより、赤外線発光ユニット２０４から照射された赤外線が、スクリーン２０３の裏面において赤外線カメラ２０５へ入射することを防止できる。つまり、赤外線は回折特性が強いので、赤外線発光ユニット２０４からの出射光は、本来の出射方向（観客席へ向かう方向）とは異なる方向にも回り込んでしまうという問題がある。この問題は、赤外線発光ユニット２０４と赤外線カメラ２０５とがスクリーン２０３の裏面において近接して配置されている場合に特に顕著となる。上記のように回折した出射光は迷光となり、フードカバー２０５ｅが無ければ、スクリーン２０３の裏側とレンズフード２０５ｄとの隙間から入射し、赤外線受光部１４２で感知されてしまう。しかし、本実施形態のように、レンズフード２０５ｄの先端とスクリーン２０３との接触部をフードカバー２０５ｅによって隙間無く覆うことにより、赤外線発光ユニット２０４からの迷光が、スクリーン２０３の裏側とレンズフード２０５ｄとの隙間から赤外線カメラ２０５へ入射することが防止される。
【００８７】
フードカバー２０５ｅの材料としては、光を通さない材料であることを条件として、例えば、紙、ポリ塩化ビニル等の合成樹脂、または、金属等を用いることができる。フードカバー２０５ｅの形状は、円筒状または角柱状とすることが好ましい。ただし、前述したように、ポリ塩化ビニルシート等の定形性を持たない柔軟な材料を用いても良い。
【００８８】
また、フードカバー２０５ｅの材料は黒色であることが好ましい。黒色部材は赤外光を透過し難いからである。特に、フードカバー２０５ｅの内側が黒色であることが好ましい。さらに、スクリーン２０３の背面において、赤外線カメラ２０５のレンズがあたる部分およびその周辺を、黒色に着色することがさらに好ましい。このようにスクリーン２０３の裏面の少なくとも一部を黒色に着色することにより、赤外線がスクリーン２０３の内部を伝搬して赤外線カメラ２０５のレンズへ侵入してくることを防止できる。
【００８９】
フードカバー２０５ｅの先端とスクリーン２０３とは、何らかの固定手段により、互いに密着するように固定されていることが好ましい。例えば、フードカバー２０５ｅの先端とスクリーン２０３とを、両面テープや接着剤等で接着しても良い。
【００９０】
その場合、フードカバー２０５ｅとスクリーン２０３との接着をより強固なものとするために、図６に示すように、フードカバー２０５ｅの先端部を、帽子のつば状に形成することが好ましい。この構成によれば、図５に示した構成と比較して、フードカバー２０５ｅとスクリーン２０３との接着面積を広く確保できる。なお、図６においては、フードカバー２０５ｅの断面のみを示し、レンズフード２０５ｄの図示を省略している。
【００９１】
なお、スクリーン２０３に対してフードカバー２０５ｅを押し付けると、特にスクリーン２０３が小型であって、かつ、フードカバー２０５ｅが固い材料から形成されている場合、スクリーン表面がひずむことがある。スクリーン表面がひずむと、観客席から見た場合に、画像がゆがんで表示される。このひずみを防止するために、図７に示すように、フードカバー２０５ｅとスクリーン２０３との間に、ひずみ防止部材２０６を取り付けても良い。ひずみ防止部材２０６は、赤外光を透過させるものであれば良く、例えば薄いアクリル樹脂板等を用いることができる。なお、図７においても、フードカバー２０５ｅの断面のみを示し、レンズフード２０５ｄの図示を省略した。
【００９２】
なお、ひずみ防止部材２０６としてアクリル樹脂板を利用した場合、アクリル樹脂板は赤外光を伝播する性質があるので、図８Ａに示すように、アクリル樹脂板の表面や側面から赤外光ＩＲが漏れるおそれがある。そこで、ひずみ防止部材２０６として赤外光を伝播する材料を利用する場合は、図８Ｂに示すように、ひずみ防止部材２０６においてスクリーン２０３の裏面に露出している部分を、赤外線遮蔽材料２０８で被覆することが好ましい。赤外線遮蔽材料２０８としては、これらにのみ限定されないが、例えば、赤外線を遮断する塗料、黒紙、またはアルミ箔等を用いることができる。
【００９３】
図７の例においては、スクリーン２０３において、フードカバー２０５ｅが接触する箇所に、部分的にひずみ防止部材２０６を設けているが、スクリーン２０３の裏面全体にひずみ防止部材２０６を設けても良い。
【００９４】
また、ひずみ防止部材２０６を設けた図７のような構成においても、図６に示したように、フードカバー２０５ｅの先端部をつば状に形成した構成としても良い。
【００９５】
また、ひずみ防止部材２０６としては、前述のアクリル樹脂板のように硬質な材料に替えて、例えば、布、スポンジ、ゴム、または、ポリ塩化ビニルシート等の可撓性の高い材料を用いることも好ましい。この場合、このような材料が、フードカバー２０５ｅからの応力を吸収し、スクリーン２０のひずみが抑制される。ただし、布、スポンジ、ゴム、または、ポリ塩化ビニルシート等をひずみ防止部材として用いる場合は、透明なアクリル樹脂板を用いる場合とは異なり、フードカバー２０５ｅの先端の開口部において、縁の部分だけにこのひずみ防止部材を設ける。
【００９６】
また、図９に示すように、フードカバー２０５ｅが、レンズフード２０５ｄ（図９には図示せず）の先端から、レンズフード２０５ｄとカメラ本体２０５ａとの接続部分までの全体を覆う構成としても良い。図９に示す構成によれば、レンズフード２０５ｄとカメラ本体２０５ａとの接続部分から、カメラ内部へ赤外光が侵入することも防止される。これにより、より確実に迷光の影響を除去することができる。
【００９７】
続いて、画像処理部１４３において行われる画像処理の具体例を説明する。ただし、この方法は本発明の一例であり、本発明はこれに限定されない。
【００９８】
赤外線検知部１４０（赤外線カメラ２０５）内の赤外線受光部１４２で得られた赤外線画像データは、複数のフレームからなる画像データとしてフレームごとに画像処理部１４３に入力される。各フレーム画像データは、縦横に配列した複数の画素に対応した階調データを有している。各画素の階調データは、当該画素において受光した赤外線の強度に対応した階調値（例えば、０〜２５５階調）のデータである。ここでは、受光した赤外線強度がゼロの場合に０階調（これを便宜上、黒表示と呼ぶ）となり、受光した赤外線強度が最大の場合に２５５階調（これを便宜上、白表示と呼ぶ）となる。
【００９９】
図１０には、画像処理部１４３内を機能ごとに分割した構成を示す。図１０に示すように、画像処理部１４３内には、フリッカ除去フィルタ１５１（フレーム除去部）、差分処理部１５２、ノイズ除去フィルタ１５３、２値化処理部１５４、面積計測部１５５、および、カメラ判定部１５６（判定部）が設けられている。
【０１００】
フリッカ除去フィルタ１５１は、各フレーム画像データにおいて全画素が黒表示（０階調）のフレーム画像データを判別し、判別された黒表示の画像データを削除するという処理を行う回路である。このような処理を行うことによって、例えば、赤外線発光ユニット２０４が点滅をしている場合などに、赤外線発光ユニット２０４が消灯状態の場合の画像データを除去し、点灯状態の場合の画像データのみを残すことができる。
【０１０１】
また、別の方法として、フリッカ除去フィルタ１５１において、複数のフレーム画像データにおける各画素の階調値の時間平均を算出するという方法で全画素が黒表示のフレームを除去してもよい。
【０１０２】
差分処理部１５２は、予め保存されたリファレンス画像データと送信された画像データとを比較し、２つのデータ間の差分をとる回路である。なお、ここで使用されるリファレンス画像データ１５２ａとしては、例えば、観客がいない場合の劇場内において映像表示システム１の赤外線発光ユニット２０４を作動させ、このときに赤外線カメラ２０５で撮影された１フレーム分の画像データが挙げられる。
【０１０３】
また、差分処理部１５２では、複数のフレーム間の差分をとることで、画像データ内の動きのある箇所を排除することができる。通常、盗撮行為はカメラを固定して行うため、当該処理により静止している箇所を特定することで、カメラに取り付けられたフィルタの検知精度を上げることが可能になる。
【０１０４】
ノイズ除去フィルタ１５３は、周辺の数画素が黒表示である領域内に１画素または一定数未満の数画素からなる白表示が存在する場合には、当該白表示の画素をノイズとして除去する回路である。このフィルタ回路では、自画素を中心とする複数画素（例えば、３×３画素、５×５画素）内に、一定数以上（例えば、１画素、２画素など）の画素が閾値以上の赤外線を検知した場合に、当該自画素を赤外線検知ありのデータ（例えば、白表示のデータ）として残す。自画素を中心とする複数画素内に、閾値以上の赤外線を検知した画素の数が一定数未満であった場合には、当該自画素を赤外線検知なしのデータとする（すなわち、階調値０と出力する）。
【０１０５】
２値化処理部１５４は、階調データに閾値を設け、階調データが閾値以上の画素については、その階調データを白表示のデータ（すなわち、階調値２５５）に変換し、階調データが閾値未満の画素については、その階調データを黒表示のデータ（すなわち、階調値０）に変換するという処理を行う回路である。
【０１０６】
面積計測部１５５は、２値化処理部１５４によって２値化処理が行われた画像データ内において、白表示の領域内に含まれる画素数を計測する回路である。ここでの処理は、例えば、黒表示の画素と白表示の画素との境界を測定し、この境界内に含まれる画素数をカウントすることによって行う。
【０１０７】
カメラ判定部１５６は、面積計測部１５５によって白表示の領域が所定の面積以上（画素数以上）であるか否かを判別し、所定の面積以上の場合に、盗撮用のカメラありと判定する。
【０１０８】
以上の構成によれば、映画館などにおける盗撮用カメラを動で検出することが可能となる。なお、上記した画像処理部１４３の構成は一例であり、本発明の実施形態はこれに限定されない。すなわち、画像処理部１４３内には、図１０に示すような各処理回路が必ずしも全て設けられている必要はなく、図１０に示す各処理回路のうちの一つあるいは複数の処理回路が設けられている場合にも、盗撮用のカメラの検知を適切に行うことができる。
【０１０９】
［第２の実施形態］
本発明のさらに他の実施形態について、以下に説明する。なお、第１の実施形態において説明した構成と同様の機能を有する構成については、第１の実施形態と同じ参照符号を付記し、その説明は省略する。
【０１１０】
第２の実施形態は、図１１に示すように、赤外線発光ユニット２０４においても、赤外線ユニット２０４とスクリーン２０３との間の隙間をふさぐように、遮光性のカバー２０７が設けられている点において、第１の実施形態と異なっている。カバー２０７が設けられたことにより、赤外線発光ユニット２０４が備える赤外ＬＥＤからの出射光は、スクリーン２０３の裏側に漏れることがない。
【０１１１】
なお、カバー２０７の材料は、フードカバー２０５ｅの材料と同様に、光を通さない材料であることを条件として、例えば、紙、ポリ塩化ビニル等の合成樹脂、または、金属等を用いることができる。カバー２０７の形状は、円筒状または角柱状とすることが好ましい。ただし、前述したように、ポリ塩化ビニルシート等の定形性を持たない柔軟な材料を用いても良い。
【０１１２】
また、カバー２０７の材料は黒色であることが好ましい。黒色部材は赤外光を透過し難いからである。なお、カバー２０７の内側は、銀色または白色等の光を反射しやすい色としても良い。カバー２０７の内側を、光を反射しやすい色とすれば、赤外ＬＥＤからの出射光の利用効率が向上するからである。
【０１１３】
また、カバー２０７の先端とスクリーン２０３とは、何らかの固定手段により、互いに密着するように固定されていることが好ましい。第１の実施形態のフードカバー２０５ｅと同様に、カバー２０７の先端とスクリーン２０３とを、両面テープや接着剤等で接着しても良い。あるいは、図６に示した構成と同様に、カバー２０７の先端部を、帽子のつば状に形成することも好ましい。
【０１１４】
また、カバー２０７とスクリーン２０３との間にも、図７に示したようなひずみ防止部材２０６を取り付けても良い。ひずみ防止部材２０６は、赤外光を透過させるものであれば良く、例えば薄いアクリル樹脂板等の硬質な材料や、布、スポンジ、ゴム、または、ポリ塩化ビニルシート等の可撓性の高い材料を用いることができる。
【０１１５】
本発明は上述した実施形態に限定されるものではなく、請求項に示した範囲で種々の変更が可能であり、ここで開示された技術的手段を適宜組み合わせて得られる実施形態についても本発明の技術的範囲に含まれる。
【産業上の利用可能性】
【０１１６】
本発明によれば、画面に表示されたデジタル映像をビデオカメラで撮影した場合に、撮影された画像の表示品質を劣化させることができる。したがって、本発明を映画館などで利用すれば、映像コンテンツの盗撮およびその不正流通を防止することができる。
【０１１７】
また、本発明によれば、映像コンテンツの盗撮を行おうとする者を容易に検知することができる。したがって、本発明を映画館などで利用すれば、映像コンテンツの盗撮行為を予防することができる。
【符号の説明】
【０１１８】
１    映像表示システム
１３０    ビデオカメラ
１３１    赤外線除去フィルタ
１４０    赤外線検知部
１４１    広角レンズ
１４２    赤外線受光部
１４３    画像処理部
１５１    フリッカ除去フィルタ
１５２    差分処理部
１５２ａ  リファレンス画像データ
１５３    ノイズ除去フィルタ
１５４    ２値化処理部
１５５    面積計測部
１５６    カメラ判定部
２０１    映像再生部
２０２    プロジェクタ（画像形成部）
２０３    スクリーン（画像表示部）
２０４    赤外線発光ユニット（赤外線発光部）
２０５    赤外線カメラ（赤外線検知部）
２０５ｄ  レンズフード
２０５ｅ  フードカバー（検知部カバー部材）
２０６    ひずみ防止部材
２０７    カバー（発光部カバー部材）
２０８    赤外線遮蔽材料
【図１】
2012163844.tif 000003
【図２】
2012163844.tif 000004
【図３】
2012163844.tif 000005
【図４Ａ】
2012163844.tif 000006
【図４Ｂ】
2012163844.tif 000007
【図５】
2012163844.tif 000008
【図６】
2012163844.tif 000009
【図７】
2012163844.tif 000010
【図８Ａ】
2012163844.tif 000011
【図８Ｂ】
2012163844.tif 000012
【図９】
2012163844.tif 000013
【図１０】
2012163844.tif 000014
【図１１】
2012163844.tif 000015